(57)【特許請求の範囲】
【請求項１】
ネットワークを介して接続された情報処理端末から求職者のＩＤが入力されると、求人側が求める求職者の個人情報を基に前記入力されたＩＤの求職者ができる仕事を抽出するとともに、前記入力されたＩＤの求職者の健康情報を基に当該求職者ができる動作および当該求職者が勤務可能な勤務時間を特定し、前記抽出した仕事から、前記特定した動作および勤務時間で行える仕事を絞り込む抽出手段と、
求人側が採用者に与える仕事を示す求人情報の中から、前記抽出手段により絞り込んだ仕事に合致する仕事を示す前記求人情報を選択して、当該選択した求人情報を前記情報処理端末に送信する送信手段と、
を備えた求人情報提案装置。
【請求項２】
前記抽出手段は、前記入力されたＩＤの求職者の生活習慣および前記健康情報を基に当該求職者が必要としかつ当該求職者が行える動作を特定する請求項１に記載の求人情報提案装置。
【請求項３】
ネットワークを介して接続された情報処理装置から求職者のＩＤが入力されると、求人側が求める求職者の個人情報を基に前記入力されたＩＤの求職者ができる仕事を抽出するとともに、前記入力されたＩＤの求職者の健康情報を基に当該求職者ができる動作および当該求職者が勤務可能な勤務時間を特定し、前記抽出した仕事から、前記特定した動作および勤務時間で行える仕事を絞り込む抽出手段と、
求人側が採用者に与える仕事を示す求人情報の中から、前記抽出手段により絞り込んだ仕事に合致する仕事を示す前記求人情報を選択して、当該選択した求人情報を前記情報処理端末に送信する送信手段と、
を備えた求人情報提案システム。
【請求項４】
前記抽出手段は、前記入力されたＩＤの求職者の生活習慣および前記健康情報を基に当該求職者が必要としかつ当該求職者が行える動作を特定する請求項３に記載の求人情報提案システム。
【発明の詳細な説明】
【技術分野】
【０００１】
本発明の実施形態は、求人情報提案装置および求人情報提案システムに関する。
【背景技術】
【０００２】
高齢者の求人や求職は、一般的に、求職者の個人情報と求人側が求める採用者の情報とが合致した場合に求職者を求人側に紹介する求人求職システムや、求人側が求める採用者の情報を知らせる求人広告などによって行われている。
【発明の概要】
【発明が解決しようとする課題】
【０００３】
ところで、従来の求人求職システムや求人広告によれば、個人情報が求人側が求める採用者の情報に合致する人は、求人側が採用者に与える仕事をできるか否かに関わらずに採用されていく。そのため、従来の求人求職システムや求人広告では、求職者を採用した後に求人側が与えた仕事ができないことが判明したり、求人側が与える仕事ができかつ働く意思があるにも関わらず個人情報が求人側が求める採用者の情報に合致しないために採用されなかったりすることがある。
【課題を解決するための手段】
【０００４】
実施形態の求人情報提案装置は、抽出手段と、送信手段と、を備える。前記抽出手段は、ネットワークを介して接続された情報処理端末から求職者のＩＤが入力されると、求人側が求める求職者の個人情報を基に前記入力されたＩＤの求職者ができる仕事を抽出するとともに、前記入力されたＩＤの求職者の健康情報を基に当該求職者ができる動作および当該求職者が勤務可能な勤務時間を特定し、前記抽出した仕事から、前記特定した動作および勤務時間で行える仕事を絞り込む。前記送信手段は、求人側が採用者に与える仕事を示す求人情報の中から、前記抽出手段により絞り込んだ仕事に合致する仕事を示す前記求人情報を選択して、当該選択した求人情報を前記情報処理端末に送信する。
【図面の簡単な説明】
【０００５】
【図１】図１は、本実施形態にかかる求人求職システムの概要構成を示すブロック図である。
【図２】図２は、本実施形態にかかる情報処理端末Ａの概要構成を示すブロック図である。
【図３】図３は、本実施形態にかかる情報処理端末Ｂの概要構成を示すブロック図である。
【図４】図４は、本実施形態にかかるサーバの概要構成を示すブロック図である。
【図５】図５は、個人情報リポジトリのデータ構成を示す図である。
【図６】図６は、求人リポジトリのデータ構成を示す図である。
【図７】図７は、生活習慣リポジトリのデータ構成を示す図である。
【図８】図８は、健康情報リポジトリのデータ構成を示す図である。
【図９】図９は、本実施形態にかかる求人求職システムにおける会員登録処理の流れを示すフローチャートである。
【図１０】図１０は、本実施形態にかかる求人求職システムにおける仕事の依頼処理の流れを示すフローチャートである。
【図１１】図１１は、本実施形態にかかる求人求職システムにおける求人情報の提案処理および人材の紹介処理の流れを示すフローチャートである。
【発明を実施するための形態】
【０００６】
図１は、本実施形態にかかる求人求職システムの概要構成を示すブロック図である。本実施形態にかかる求人求職システム１０（求人情報提案システム）は、大別すると、求人仲介業者の事業所等に設置されたサーバ１１と、求人仲介業者から仕事の紹介を受ける求職者の自宅に設置された情報処理端末Ａ（１２）と、求人仲介業者に対して仕事を依頼して人材の紹介を受ける求人側に設置された情報処理端末Ｂ（１３）と、サーバ１１と情報処理端末Ａ（１２）と情報処理端末Ｂ（１３）とを通信可能に接続する通信ネットワーク１４と、を備えている。通信ネットワーク１４としては、インターネット等の公衆通信ネットワークの他、ＶＰＮ（Virtual  Private  Network）等として構築することができる。
【０００７】
図２は、本実施形態にかかる情報処理端末Ａの概要構成を示すブロック図である。本実施形態にかかる情報処理端末Ａ（１２）は、当該情報処理端末Ａ（１２）全体を制御するコントローラ２１と、各種情報を表示するディスプレイ（表示部）２２と、キーボード、マウス等の入力装置を有し、求職者の個人情報等の入力等の各種操作を行うための操作部２３と、ＨＤＤ（Hard  Disk  Drive）やＳＳＤ（Solid  State  Drive）等として構成され、各種データを記憶する外部記憶装置２４と、通信ネットワーク１４を介してサーバ１１との間で通信を行う通信インタフェース（Ｉ／Ｆ）２５と、を備えている。
【０００８】
コントローラ２１は、コントローラ２１全体を制御するＭＰＵ（Micro  Processing  Unit）２６と、ＭＰＵ２６上で動作する制御プログラム等を格納したＲＯＭ（Read  Only  Memory）２７と、各種データを一時的に格納するためのＲＡＭ（Random  Access  Memory）２８と、を備えている。
【０００９】
図３は、本実施形態にかかる情報処理端末Ｂの概要構成を示すブロック図である。本実施形態にかかる情報処理端末Ｂ（１３）は、当該情報処理端末Ｂ（１３）全体を制御するコントローラ３１と、各種情報を表示するディスプレイ（表示部）３２と、キーボード、マウス等の入力装置を有し、オペレータが各種操作を行うための操作部３３と、ＨＤＤやＳＳＤ等として構成され、各種データを記憶する外部記憶装置３４と、通信ネットワーク１４を介してサーバ１１との間で通信を行う通信インタフェース（Ｉ／Ｆ）３５と、を備えている。
【００１０】
コントローラ３１は、コントローラ３１全体を制御するＭＰＵ３６、ＭＰＵ３６上で動作する制御プログラム等を格納したＲＯＭ３７、各種データを一時的に格納するためのＲＡＭ３８と、を備えている。
【００１１】
図４は、本実施形態にかかるサーバの概要構成を示すブロック図である。本実施形態にかかるサーバ１１は、サーバ１１全体を制御するコントローラ４１と、各種情報を表示するディスプレイ４２と、キーボード、マウス等の入力装置を有し、オペレータが各種操作を行うための操作部４３と、ＨＤＤ等として構成され、各種データを記憶する外部記憶装置４４と、通信ネットワーク１４との間で通信を行う通信インタフェース（Ｉ／Ｆ）４５と、を備えている。
【００１２】
コントローラ４１は、コントローラ４１全体を制御するＭＰＵ４６と、ＭＰＵ４６上で動作する制御プログラム等を格納したＲＯＭ４７と、各種データを一時的に格納するためのＲＡＭ４８と、を備えている。
【００１３】
外部記憶装置４４上には、個人情報リポジトリ４９、求人リポジトリ５０、生活習慣リポジトリ５１、および健康情報リポジトリ５２を備えている。ここで、各リポジトリ４９〜５２のデータ構成について説明する。
【００１４】
図５は、個人情報リポジトリのデータ構成を示す図である。個人情報リポジトリ４９は、求人仲介業者から仕事の紹介を受ける求職者の個人情報、例えば、性格（温厚など）や趣味（読書や昼寝など）や特技（書道や盆栽など）を、求人仲介業者から仕事の紹介を受けるために会員登録した求職者を特定するための特定情報（名前や会員ＩＤなど）に対応付けて記憶するものである。
【００１５】
図６は、求人リポジトリのデータ構成を示す図である。求人リポジトリ５０は、求人側が採用者に与える仕事を示す求人情報、例えば、仕事の内容（年賀状の宛名書き、植木の手入れ、勤務時間など）や特性（片手でできる、体を適度に動かせるなど）を、求人仲介業者に対して仕事を依頼して求職者の紹介を受ける求人側を特定するための求人側ＩＤに対応付けて記憶するものである。
【００１６】
図７は、生活習慣リポジトリのデータ構成を示す図である。生活習慣リポジトリ５１は、求職者の生活習慣を示す生活習慣情報、例えば、健康を害する危険性を含んだ事柄に対する生活上の注意点（晩酌が瓶ビール１本や喫煙など）を、会員ＩＤに対応付けて記憶するものである。
【００１７】
図８は、健康情報リポジトリのデータ構成を示す図である。健康情報リポジトリ５２は、求職者の健康情報、例えば、持病に対する健康上の注意点（２年前に脳梗塞を発病して左半身に麻痺有り、血糖値が高めなど）を、会員ＩＤに対応付けて記憶するものである。
【００１８】
次に、ＭＰＵ２６，３６，４６がＲＯＭ２７，３７，４７に格納された制御プログラムを実行することにより、コントローラ２１，３１，４１により実現される求人求職システム１０の動作について説明する。図９は、本実施形態にかかる求人求職システムにおける会員登録処理の流れを示すフローチャートである。
【００１９】
求職者が情報処理端末Ａ（１２）の操作部２３を操作して、自身の性格や趣味や特技などの個人情報を入力すると、情報処理端末Ａ（１２）のコントローラ２１は、入力された個人情報を受け付ける（ステップＳ９０１）。なお、コントローラ２１は、個人情報に加えて、求職者の生活習慣情報および健康情報が入力された場合には、入力された生活習慣情報および健康情報も受け付ける。そして、コントローラ２１は、受け付けた個人情報、生活習慣情報、および健康情報を、通信ネットワーク１４を介してサーバ１１に送信して、求職者の会員登録を要求する（ステップＳ９０２）。
【００２０】
サーバ１１のコントローラ４１は、通信ネットワーク１４を介して、情報処理端末Ａ（１２）から送信された個人情報、生活習慣情報、および健康情報を受信すると、会員登録を要求した求職者に対して会員ＩＤを付与する。さらに、コントローラ４１は、受信した個人情報を、付与した会員ＩＤと対応付けて個人情報リポジトリ４９に記憶させることにより、求職者の会員登録を行う（ステップＳ９０３）。また、コントローラ４１は、個人情報とともに生活習慣情報を受信した場合には、受信した生活習慣情報を、付与した会員ＩＤと対応付けて生活習慣リポジトリ５１に記憶させる。さらに、コントローラ４１は、個人情報とともに健康情報を受信した場合には、受信した健康情報を、付与した会員ＩＤと対応付けて健康情報リポジトリ５２に記憶させる。次いで、コントローラ４１は、求職者に対して付与した会員ＩＤを、通信ネットワーク１４を介して情報処理端末Ａ（１２）に送信する（ステップＳ９０４）。
【００２１】
図１０は、本実施形態にかかる求人求職システムにおける仕事の依頼処理の流れを示すフローチャートである。
【００２２】
求人側が情報処理端末Ｂ（１３）の操作部３３を操作して、求人側が依頼する仕事の内容や特性などを示す求人情報を入力すると、情報処理端末Ｂ（１３）のコントローラ３１は、入力された求人情報を受け付ける（ステップＳ１００１）。そして、コントローラ３１は、受け付けた求人情報を、通信ネットワーク１４を介してサーバ１１に送信して、仕事を依頼する（ステップＳ１００２）。
【００２３】
サーバ１１のコントローラ４１は、通信ネットワーク１４を介して、情報処理端末Ｂ（１３）から送信された求人情報を受信すると、仕事を依頼した求人側に対して求人側ＩＤを付与する。さらに、コントローラ４１は、受信した求人情報を、付与した求人側ＩＤと対応付けて求人リポジトリ５０に記憶させることにより、求人側からの仕事の依頼を登録する（ステップＳ１００３）。
【００２４】
図１１は、本実施形態にかかる求人求職システムにおける求人情報の提案処理および人材の紹介処理の流れを示すフローチャートである。
【００２５】
求職者が情報処理端末Ａ（１２）の操作部２３を操作して、自身の会員ＩＤを入力すると、情報処理端末Ａ（１２）のコントローラ２１は、入力された会員ＩＤを受け付ける（ステップＳ１１０１）。そして、コントローラ２１は、受け付けた会員ＩＤを、通信ネットワーク１４を介してサーバ１１に送信して、求人情報の提案を要求する（ステップＳ１１０２）。
【００２６】
サーバ１１のコントローラ４１は、通信ネットワーク１４を介して、情報処理端末Ａ（１２）から送信された会員ＩＤを受信すると、個人情報リポジトリ４９から、受信した会員ＩＤと対応付けられた個人情報を読み出す。次いで、コントローラ４１は、読み出した個人情報を基に、受信した会員ＩＤにより特定される求職者ができる仕事を抽出する（ステップＳ１１０３）。
【００２７】
本実施形態では、コントローラ４１は、個人情報と当該個人情報が示す求職者に合った仕事を示す仕事情報とを対応付けて記憶する仕事情報テーブル（図示しない）から、読み出した個人情報と対応付けて記憶された仕事情報を読み出す。そして、コントローラ４１は、読み出した仕事情報が示す仕事を、受信した会員ＩＤにより特定される求職者ができる仕事として抽出する。例えば、コントローラ４１は、仕事情報テーブルから、読み出した個人情報（特技：書道および盆栽、性格：温厚など）と対応付けて記憶された仕事情報（年賀状の宛名書き、植木の手入れなど）を読み出す。そして、コントローラ４１は、読み出した仕事情報が示す仕事（年賀状の宛名書き、植木の手入れなど）を、求職者ができる仕事として抽出する。
【００２８】
仕事が抽出されると、コントローラ４１は、健康情報リポジトリ５２から、受信した会員ＩＤと対応付けて記憶された健康情報を読み出す。さらに、コントローラ５２は、生活習慣リポジトリ５１から、受信した会員ＩＤと対応付けて記憶された生活習慣情報を読み出す。そして、コントローラ４１は、個人情報を基に抽出される仕事の中から、読み出した健康情報および生活習慣情報のうち少なくとも１つを基に、求職者ができる仕事を絞り込む（ステップＳ１１０４）。
【００２９】
具体的には、健康情報を基に仕事を絞り込む場合、コントローラ４１は、健康情報リポジトリ５２から読み出した健康情報を基に、受信した会員ＩＤにより特定される求職者ができる動作を特定する。そして、コントローラ４１は、個人情報を基に抽出された仕事の中から、特定した動作により行うことができる仕事を絞り込む。これにより、健康情報から起こりうる病気を予測し、元気な高齢者にも無理の無い仕事を提供することができ、かつ持病のある高齢者にも仕事を提供できる。また、仕事をすることにより持病が悪化したりすることも防止できる。
【００３０】
例えば、コントローラ４１は、健康情報リポジトリ５２から読み出した健康情報が「２年前に脳梗塞を発病して左半身に麻痺が有り」である場合、受信した会員ＩＤにより特定される求職者ができる動作として、片手は自由に動かせる、および座位が続く場合には血流が悪くなることを考慮して勤務時間は２時間を特定する。そして、コントローラ４１は、求職者ができる仕事を、個人情報を基に抽出される仕事（年賀状の宛名書き、植木の手入れなど）から、特定した動作により行える「年賀状の宛名書き」に絞り込む。
【００３１】
また、健康情報および生活習慣情報を基に絞り込む場合、コントローラ４１は、生活習慣リポジトリ５１および健康情報リポジトリ５２から読み出した生活習慣情報および健康情報を読み出す。次いで、コントローラ４１は、個人情報を基に抽出される仕事の中から、読み出した生活習慣情報および健康情報を基に、求職者ができる仕事を絞り込む。
【００３２】
本実施形態では、コントローラ４１は、読み出した生活習慣情報および健康情報を基に、受信した会員ＩＤにより特定される求職者が必要としかつ当該求職者ができる動作を特定する。そして、コントローラ４１は、個人情報を基に抽出された仕事の中から、特定した動作により行うことができる仕事を絞り込む。これにより、求職者に無理のない仕事を提供することができ、求職者は安心して仕事ができ、やりがいや生きがいを感じることができる。
【００３３】
例えば、コントローラ４１は、生活習慣リポジトリ５１から読み出した生活習慣情報が「晩酌が瓶ビール１本」であり、健康情報リポジトリ５２から読み出した健康情報が「血糖値が高め」である場合、健康状態が比較的良好なわりには運動不足と判断して、受信した会員ＩＤにより特定される求職者が必要としかつ求職者ができる動作として、適度な運動が必要であることを特定する。そして、コントローラ４１は求職者ができる仕事を、個人情報を基に抽出される仕事（年賀状の宛名書き、植木の手入れなど）から、特定した動作により行える「植木の手入れ」に絞り込む。
【００３４】
次に、コントローラ４１は、求人リポジトリ５０に記憶された求人情報の中から、抽出した仕事（または絞り込まれた仕事）に合致する仕事を示す求人情報を選択する（ステップＳ１１０５）。例えば、コントローラ４１は、求職者ができる仕事が、「年賀状の宛名書き」に絞り込まれた場合、求人リポジトリ５０に記憶された求人情報のうち、「年賀状の宛名書き」を示す求人情報を選択する。また、コントローラ４１は、求職者ができる仕事が、「植木の手入れ」に絞り込まれた場合、求人リポジトリ５０に記憶された求人情報のうち、「植木の手入れ」を示す求人情報を選択する。
【００３５】
そして、コントローラ４１は、選択した求人情報を、通信ネットワーク１４を介して情報処理端末Ａ（１２）に送信する（ステップＳ１１０６）。
【００３６】
情報処理端末Ａ（１２）のコントローラ１２は、サーバ１１から送信された求人情報を受信すると、受信した求人情報（勤務時間などの仕事の内容や、片手でできるなどの仕事の特性）をディスプレイ２２に表示して、求人情報の選択を要求する（ステップＳ１１０７）。次いで、コントローラ１２は、操作部２３の操作に応じて、求人情報を選択する（ステップＳ１１０８）。そして、コントローラ１２は、求人情報の選択結果を、求人情報を選択した求職者を特定する会員ＩＤとともに、通信ネットワーク１４を介してサーバ１１に送信する（ステップＳ１１０９）。
【００３７】
サーバ１１のコントローラ４１は、情報処理端末Ａ（１２）から求人情報の選択結果および会員ＩＤを受信すると、求人リポジトリ５０から、選択された求人情報と対応付けて記憶された求人側ＩＤを読み出す。さらに、コントローラ４１は、個人情報リポジトリ４９から、受信した会員ＩＤと対応付けられた個人情報を読み出す。そして、コントローラ４１は、読み出した求人側ＩＤにより特定される求人側の情報処理端末Ｂ（１３）に対して、読み出した個人情報を送信することにより、人材を紹介する（ステップＳ１１１０）。
【００３８】
このように本実施形態にかかる求人求職システム１０によれば、求職者の個人情報を入力し、入力された個人情報を基に求職者ができる仕事を抽出し、求人側が採用者に与える仕事を示す求人情報の中から、抽出した仕事に合致する仕事を示す求人情報を選択し、選択した求人情報を提案することにより、求人側が採用者に与える仕事をできる求職者に求人情報を提案することができるので、求職者を採用した後に求人側が与えた仕事ができないことが判明したり、求人側が与える仕事ができかつ働く意思があるにも関わらず個人情報が求人側が求める採用者の情報に合致しないために採用されなかったりすることを防止できる。
【００３９】
また、個人情報を基に抽出される仕事の中から、読み出した生活習慣情報および健康情報を基に、求職者ができる仕事を絞り込むことにより、求職者が仕事をすることにより持病が悪化したり、持病を理由に仕事がもらえなかったりすることを防止できる。
【００４０】
本実施形態のサーバ１１、情報処理端末Ａ（１２）、および情報処理端末Ｂ（１３）で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供しても良い。
【００４１】
また、本実施形態のサーバ１１、情報処理端末Ａ（１２）、および情報処理端末Ｂ（１３）で実行される制御プログラムを、インターネット等のネットワークに接続されたコンピュータ上に格納し、ネットワーク経由でダウンロードさせることにより提供するように構成しても良い。また、本実施形態のサーバ１１、情報処理端末Ａ（１２）、および情報処理端末Ｂ（１３）で実行される制御プログラムをインターネット等のネットワーク経由で提供または配布するように構成しても良い。
【００４２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４３】
１０  求人求職システム
１１  サーバ
１２  情報処理端末Ａ
２１，４１  コントローラ
２３  操作部
２４，４４  外部記憶装置
２６，４６  ＭＰＵ
２７，４７  ＲＯＭ
２８，４８  ＲＡＭ
４９  個人情報リポジトリ
５０  求人リポジトリ
５１  生活習慣リポジトリ
５２  健康情報リポジトリ
【先行技術文献】
【特許文献】
【００４４】
【特許文献１】特開２００３−１６１８７号公報
【図１】
0005377601.tif 000002
【図２】
0005377601.tif 000003
【図３】
0005377601.tif 000004
【図４】
0005377601.tif 000005
【図５】
0005377601.tif 000006
【図６】
0005377601.tif 000007
【図７】
0005377601.tif 000008
【図８】
0005377601.tif 000009
【図９】
0005377601.tif 000010
【図１０】
0005377601.tif 000011
【図１１】
0005377601.tif 000012